(57)【特許請求の範囲】
【請求項１】
スピーカーの周縁部が嵌合される、環状の嵌合部と、
前記嵌合部の周方向に間隔を開けて当該嵌合部に設けられる押さえバンドと、
を備え、
前記スピーカーを電子機器の筐体に固定する場合、前記押さえバンドは前記スピーカーの背面を跨ぐように配置され、前記押さえバンドが前記スピーカーの背面と接触した状態で当該押さえバンドの先端部が前記電子機器の筐体に固定される、スピーカー用パッキン。
【請求項２】
前記押さえバンドは、前記嵌合部の周方向に等しい間隔で配置されている、請求項１に記載のスピーカー用パッキン。
【請求項３】
前記押さえバンドは、Ｕ字形状であり、
前記押さえバンドの開口部の側の両端部が前記嵌合部に固定され、前記押さえバンドと前記嵌合部とで囲まれた空間に前記スピーカーのマグネット部が挿入される挿入部を有する、請求項１又は２に記載のスピーカー用パッキン。
【請求項４】
前記スピーカー用パッキンは、弾性材料で構成されている、請求項１乃至３のいずれか１項に記載のスピーカー用パッキン。
【請求項５】
請求項１乃至４のいずれか１項に記載のスピーカー用パッキンと、
前記スピーカー用パッキンの嵌合部に周縁部が嵌合されるスピーカーと、
を備える、スピーカーセット。
【請求項６】
請求項５に記載のスピーカーセットと、
前記スピーカーセットが固定される筐体と、
を備える、電子機器。
【請求項７】
前記スピーカーセットにおけるスピーカー用パッキンの押さえバンドに形成された貫通孔に通されたネジと、前記ネジが通されたワッシャーと、を介して、前記スピーカーセットが前記筐体に固定され、
前記ワッシャーと前記筐体とで前記スピーカー用パッキンの嵌合部が挟み込まれている、請求項６に記載の電子機器。
【請求項８】
スピーカーの周縁部をスピーカー用パッキンの嵌合部に嵌合する工程と、
前記嵌合部の周方向に間隔を開けて当該嵌合部に設けられた押さえバンドを前記スピーカーの背面を跨ぐように配置する工程と、
前記押さえバンドが前記スピーカーの背面と接触した状態で当該押さえバンドの先端部を電子機器の筐体に固定する工程と、
を備える、スピーカーの固定方法。
【発明の詳細な説明】
【技術分野】
【０００１】
本開示は、スピーカー用パッキン、スピーカーセット、電子機器及びスピーカーの固定方法に関する。
【背景技術】
【０００２】
一般的なスピーカーは、特許文献１に開示されているように、スピーカーの周縁部を電子機器のスピーカーリブとワッシャーとで挟み込むことで、スピーカーを電子機器の筐体に固定する構成とされている。ここで、特許文献１に開示されたスピーカーの固定構造においては、スピーカーの周縁部を電子機器のスピーカーリブとワッシャーとで挟み込んで固定する際に当該ワッシャーをスピーカーの側に傾斜して配置することで、スピーカーがスピーカーリブの先端を支点に旋回して浮き上がることを抑制している。
【先行技術文献】
【特許文献】
【０００３】
【特許文献１】実用新案登録第３０７７５１０号公報
【発明の概要】
【発明が解決しようとする課題】
【０００４】
特許文献１に開示されたスピーカーの固定構造を採用した電子機器においては、当該電子機器を落下させた際に衝撃によって筐体が撓むと、スピーカーの周縁部がスピーカーリブとワッシャーとの間から抜け出し、スピーカーが筐体から脱落する可能性がある。
【０００５】
本明細書に開示される実施形態が達成しようとする目的の１つは、当該課題の解決に寄与するスピーカー用パッキン、スピーカーセット、電子機器及びスピーカーの固定方法を提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【０００６】
第１の態様のスピーカー用パッキンは、
スピーカーの周縁部が嵌合される、環状の嵌合部と、
前記嵌合部の周方向に間隔を開けて当該嵌合部に設けられる押さえバンドと、
を備え、
前記スピーカーを電子機器の筐体に固定する場合、前記押さえバンドは前記スピーカーの背面を跨ぐように配置され、前記押さえバンドが前記スピーカーの背面と接触した状態で当該押さえバンドの先端部が前記電子機器の筐体に固定される。
【０００７】
第２の態様のスピーカーセットは、
上述のスピーカー用パッキンと、
前記スピーカー用パッキンの嵌合部に周縁部が嵌合されるスピーカーと、
を備える。
【０００８】
第３の態様の電子機器は、
上述のスピーカーセットと、
前記スピーカーセットが固定される筐体と、
を備える。
【０００９】
第４の態様のスピーカーの固定方法は、
スピーカーの周縁部をスピーカー用パッキンの嵌合部に嵌合する工程と、
前記嵌合部の周方向に間隔を開けて当該嵌合部に設けられた押さえバンドを前記スピーカーの背面を跨ぐように配置する工程と、
前記押さえバンドが前記スピーカーの背面と接触した状態で当該押さえバンドの先端部を電子機器の筐体に固定する工程と、
を備える。
【発明の効果】
【００１０】
上述の態様によれば、電子機器を落下させた際のスピーカーの脱落を抑制することができるスピーカー用パッキン、スピーカーセット、電子機器及びスピーカーの固定方法を実現できる。
【図面の簡単な説明】
【００１１】
【図１】実施の形態の電子機器を模式的に示す斜視図である。
【図２】実施の形態のスピーカーセットが筐体に固定された状態を示す背面図である。
【図３】実施の形態のスピーカーセットが筐体に固定された状態を示す斜視図である。
【図４】実施の形態のスピーカーセットを示す背面図である。
【図５】実施の形態のスピーカーセットを示す斜視図である。
【図６】実施の形態のスピーカー用パッキンを示す背面図である。
【図７】実施の形態のスピーカー用パッキンを示す斜視図である。
【図８】実施の形態の電子機器を落下させた際の状態を示す図である。
【発明を実施するための形態】
【００１２】
以下、本開示を実施するための最良の形態について、添付図面を参照しながら説明する。但し、本開示が以下の実施の形態に限定される訳ではない。また、説明を明確にするため、以下の記載及び図面は、適宜、簡略化されている。
【００１３】
先ず、本実施の形態の電子機器の構成を説明する。図１は、本実施の形態の電子機器を模式的に示す斜視図である。なお、図１では、スピーカーセットの配置が明確になるように、筐体の領域Ａを透視図として示している。また、図１では、スピーカーセットの配置が明確になるように、受話部を省略している。
【００１４】
電子機器１は、例えば、図１に示すように、卓上電話機である。電子機器１は、卓上電話機としての機能を実現するための基板などが搭載される筐体２、及び図示を省略した受話部を備えている。
【００１５】
筐体２は、ダイヤルボタン３、表示部４及びスピーカーセット５などを備えている。なお、電子機器１の詳細な説明は、本開示の本質的部分ではないため、省略する。また、電子機器１は、卓上電話機に限定されず、スピーカーセット５を介して音を出力する電子機器であればよい。
【００１６】
図２は、本実施の形態のスピーカーセットが筐体に固定された状態を示す背面図である。図３は、本実施の形態のスピーカーセットが筐体に固定された状態を示す斜視図である。図４は、本実施の形態のスピーカーセットを示す背面図である。図５は、本実施の形態のスピーカーセットを示す斜視図である。図６は、本実施の形態のスピーカー用パッキンを示す背面図である。図７は、本実施の形態のスピーカー用パッキンを示す斜視図である。
【００１７】
スピーカーセット５は、図１乃至図３に示すように、筐体２の天井部２ａの裏面に固定されている。詳細には、スピーカーセット５は、受話部を引っ掛けるために筐体２の天井部２ａに形成された窪み部２ｂの間で、当該天井部２ａの裏面に固定されている。ちなみに、筐体２の天井部２ａにおけるスピーカーセット５と重なる部分には、音が筐体２の外部に放音されるように複数の開口部（図示を省略）が形成されている。
【００１８】
スピーカーセット５は、図４及び図５に示すように、スピーカー６及びスピーカー用パッキン７を備えている。スピーカー６は、一般的なスピーカーと同様に、マグネット部６ａとコイル部６ｂとが相対的に変位して振動板６ｃが振動して音を出力する構成である。ここで、スピーカー６の背面は、スピーカー６の放音（出力）方向に対して逆側の面である。
【００１９】
スピーカー用パッキン７は、嵌合部７ａ及び押さえバンド７ｂを備えている。嵌合部７ａには、図４及び図５に示すように、スピーカー６の周縁部が嵌合される。嵌合部７ａは、図６及び図７に示すように、環状を基本形態としており、嵌合部７ａの内周部にスピーカー６の周縁部が嵌合される溝部７ｃが形成されている。つまり、嵌合部７ａは、縦断面形状が略倒Ｕ字形状である。
【００２０】
押さえバンド７ｂは、嵌合部７ａの周方向に間隔を開けて当該嵌合部７ａに設けられている。押さえバンド７ｂは、例えば、嵌合部７ａの周方向に略１２０°の間隔を開けて配置されている。ここで、押さえバンド７ｂは、詳細な機能は後述するが、嵌合部７ａの周方向に略等しい間隔を開けて配置されているとよい。但し、詳細は後述するが、押さえバンド７ｂによってスピーカー６を当該スピーカー６の背面の側から良好に押さえることができれば、押さえバンド７ｂの配置は限定されない。
【００２１】
押さえバンド７ｂは、例えば、Ｕ字形状を基本形態としており、押さえバンド７ｂの開口部の側の両端部が嵌合部７ａに固定されている。つまり、押さえバンド７ｂは、押さえバンド７ｂが嵌合部７ａに固定される一方の部分を始点とする往路部７ｄと、当該往路部７ｄから折り返して押さえバンド７ｂが嵌合部７ａに固定される他方の部分を終点とする復路部７ｅと、を備えている。そして、押さえバンド７ｂの先端部（即ち、開口部に対して逆側の折り返し部）には、貫通孔７ｆが形成されている。
【００２２】
このとき、押さえバンド７ｂは、スピーカー用パッキン７が筐体２に固定されていない状態で、嵌合部７ａから外方に突出する。このようなスピーカー用パッキン７は、ゴムなどの弾性変形可能な材料で構成されているよい。但し、押さえバンド７ｂは、嵌合部７ａから内方に突出していてもよい。
【００２３】
次に、本実施の形態のスピーカー用パッキン７を用いてスピーカー６を電子機器１の筐体２に固定する流れを説明する。先ず、スピーカー用パッキン７の嵌合部７ａの溝部７ｃにスピーカー６の周縁部を嵌め込む。これにより、スピーカーセット５を構成することができる。
【００２４】
次に、スピーカーセット５をスピーカー６の放音方向から見て、電子機器１における筐体２の天井部２ａの裏面に設けられた筒状のスピーカーリブ２ｃの内部にスピーカー６が略配置されるように、筐体２の天井部２ａの裏面の側からスピーカーセット５におけるスピーカー用パッキン７の嵌合部７ａをスピーカーリブ２ｃにあてがう。
【００２５】
次に、スピーカー用パッキン７の押さえバンド７ｂがスピーカー６の背面を跨ぐように当該押さえバンド７ｂを折り返して引き込む。このとき、押さえバンド７ｂの内部にスピーカー６のマグネット部６ａを挿入する。つまり、押さえバンド７ｂの内部は、スピーカー６のマグネット部６ａの挿入部７ｇとして機能する。そして、押さえバンド７ｂの往路部７ｄと復路部７ｅとがスピーカー６のマグネット部６ａを間にして当該マグネット部６ａの両側に配置される。
【００２６】
次に、押さえバンド７ｂを引っ張った状態で、図２及び図３に示すように、押さえバンド７ｂの貫通孔７ｆにワッシャー付きネジ８を通して筐体２の天井部２ａに形成されたネジ穴にねじ込む。ここで、ネジ穴は、スピーカーリブ２ｃの外側に設けられたボス２ｄに形成されている。ボス２ｄは、スピーカーリブ２ｃと略等しい高さを有する。
【００２７】
これにより、押さえバンド７ｂの先端部が筐体２のボス２ｄに固定されると共に、押さえバンド７ｂの嵌合部７ａがワッシャー付きネジ８のワッシャー部分８ａとスピーカーリブ２ｃとで挟み込まれて固定される。
【００２８】
このように押さえバンド７ｂを折り返して引っ張ってワッシャー付きネジ８で筐体２に固定する工程を、押さえバンド７ｂの個数回数繰り返すと、スピーカー用パッキン７を用いてスピーカー６を筐体２に固定することができる。これにより、図２及び図３に示すように、スピーカー６は、スピーカー用パッキン７の複数の押さえバンド７ｂによってスピーカーリブ２ｃに押し付けられた状態となる。
【００２９】
このように本実施の形態のスピーカー用パッキン７、スピーカーセット５、電子機器１及びスピーカー６の固定方法においては、スピーカー用パッキン７の複数の押さえバンド７ｂによってスピーカー６を筐体２に押し付けて固定することができる。そのため、図８に示すように、電子機器１を落下させた際に筐体２が変形しても、スピーカー用パッキン７の複数の押さえバンド７ｂの押圧力によってスピーカー６が筐体２から脱落することを抑制できる。
【００３０】
また、本実施の形態の押さえバンド７ｂは、嵌合部７ａの周方向に略等しい間隔で配置されているので、筐体２が変形した際に各々の押さえバンド７ｂをバランス良く変形させることができる。そのため、筐体２の変形が解消された際に精度良くスピーカー６を当初の位置に配置することができる。
【００３１】
しかも、本実施の形態の押さえバンド７ｂは、スピーカー６のマグネット部６ａを挿入する挿入部７ｇを備えているので、マグネット部６ａの両側に押さえバンド７ｂの往路部７ｄと復路部７ｅとを配置することができる。そのため、スピーカー６をバランス良く筐体２に押し込むことができる。また、押さえバンド７ｂは、スピーカー６の背面に網目状に配置されることになり、スピーカー６の脱落を確実に抑制することができる。
【００３２】
さらに、本実施の形態のスピーカー用パッキン７は、ゴムなどの弾性変形可能な材料で構成されているため、筐体２が変形する際に当該筐体２の変形に良好に追従することができ、スピーカー６の脱落を確実に抑制することができる。
【００３３】
上述した実施の形態は本件発明者により得られた技術思想の適用に関する例に過ぎない。すなわち、当該技術思想は、上述した実施の形態のみに限定されるものではなく、種々の変更が可能であることは勿論である。
【００３４】
例えば、本実施の形態では、ワッシャー付きネジ８を用いてスピーカーセット５を筐体２に固定したが、ワッシャーとネジとが別部材であってもよい。ここで、ワッシャーにネジが通された構成には、ワッシャー付きネジ８も含まれるものとする。
【００３５】
例えば、本実施の形態の押さえバンド７ｂは、スピーカー６のマグネット部６ａを挿入する挿入部７ｇを備えているが、挿入部７ｇを備えていなくてもよい。要するに、押さえバンド７ｂは、スピーカー６の背面を跨ぐように配置された状態で当該スピーカー６の背面を筐体２に押し込むことができる構成であればよい。
【符号の説明】
【００３６】
１  電子機器
２  筐体、２ａ  天井部、２ｂ  窪み部、２ｃ  スピーカーリブ、２ｄ  ボス
３  ダイヤルボタン
４  表示部
５  スピーカーセット
６  スピーカー、６ａ  マグネット部、６ｂ  コイル部、６ｃ  振動板
７  スピーカー用パッキン
７ａ  嵌合部、７ｃ  溝部
７ｂ  押さえバンド、７ｄ  往路部、７ｅ  復路部、７ｆ  貫通孔、７ｇ  挿入部
８  ワッシャー付きネジ、８ａ  ワッシャー部分
【要約】
【課題】電子機器を落下させた際のスピーカーの脱落を抑制することができるスピーカー用パッキンを実現する。
【解決手段】本開示に係る一形態のスピーカー用パッキン７は、スピーカー６の周縁部が嵌合される、環状の嵌合部７ａと、嵌合部７ａの周方向に間隔を開けて嵌合部７ａに設けられる押さえバンド７ｂと、を備え、スピーカー６を電子機器１の筐体２に固定する場合、押さえバンド７ｂはスピーカー６の背面を跨ぐように配置され、押さえバンド７ｂがスピーカー６の背面と接触した状態で押さえバンド７ｂの先端部が電子機器１の筐体２に固定される。
【選択図】図３【図１】
0006816904.tif 000002
【図２】
0006816904.tif 000003
【図３】
0006816904.tif 000004
【図４】
0006816904.tif 000005
【図５】
0006816904.tif 000006
【図６】
0006816904.tif 000007
【図７】
0006816904.tif 000008
【図８】
0006816904.tif 000009